(57)【要約】      （修正有）【課題】残水量の判定に特別な専用のセンサを必要とせず、お湯による給水の場合にも、確実に給水報知状態をリセットすることができるようにした電気ポットを提供する。【解決手段】内容器と、内容器内の水を加熱する加熱手段と、内容器内の水の温度を検出する温度センサと、内容器内の水を加熱沸とうさせて湯沸しを行ない、その後所定の温度に保温する加熱制御手段と、内容器内の残水量が所定量以下に低下したことを判定して給水が必要なことを報知する給水報知手段とを備えてなる電気ポットにおいて、上記給水報知手段により給水報知を行った後Ｓ３、当該給水報知のための残水量判定データをリセットするＳ５残水量判定データリセット手段を設けた。【選択図】        図６
2005007084.tif 000002
【特許請求の範囲】
【請求項１】
内容器と、内容器内の水を加熱する加熱手段と、内容器内の水の温度を検出する温度センサと、内容器内の水を加熱沸とうさせて湯沸しを行ない、その後所定の温度に保温する加熱制御手段と、内容器内の残水量が所定量以下に低下したことを判定して給水が必要なことを報知する給水報知手段とを備えてなる電気ポットにおいて、上記給水報知手段により給水報知を行った後、当該給水報知のための残水量判定データをリセットする残水量判定データリセット手段を設けたことを特徴とする電気ポット。
【請求項２】
内容器と、内容器内の水を加熱する加熱手段と、内容器内の水の温度を検出する温度センサと、内容器内の水を加熱沸とうさせて湯沸しを行ない、その後所定の温度に保温する加熱制御手段と、内容器内の残水量が所定量以下に低下したことを判定して給水が必要なことを報知する給水報知手段とを備えてなる電気ポットにおいて、上記給水報知手段による給水報知後も継続して上記温度センサにより水温を検出し、所定時間内に所定値以上の水温の低下があった場合には、上記給水報知手段による給水報知をリセットする給水報知リセット手段を設けたことを特徴とする電気ポット。
【請求項３】
給水報知をリセットした後、再度残水量の判定を行うように構成されていることを特徴とする請求項２記載の電気ポット。
【請求項４】
残水量の判定は、給水報知リセット後、所定の水温まで加熱した時の温度勾配によりなされるように構成されていることを特徴とする請求項３記載の電気ポット。
【請求項５】
給水されたことが検知されることなく注湯操作がなされた時には、注湯される湯が注湯通路下流の流量センサまで達するに要した時間により残水量を判定し、該判定値に基いて新たな給水報知を行うように構成したことを特徴とする請求項２，３又は４記載の電気ポット。
【発明の詳細な説明】
【０００１】
【発明の属する技術分野】
本願発明は、電気ポットに関し、さらに詳しくは給水報知機能を具備せしめた電気ポットの構造に関するものである。
【０００２】
【従来の技術】
一般に、電気ポットにおいては、内容器内に収容された水を電気ヒータによって加熱沸騰させた後、所定の保温温度に貯湯するようになっている。
【０００３】
ところで、そのような電気ポットにおいて、内容器内の湯が所定量以下に少なくなると、内容器が過熱状態となったり、湯の注出（例えば、エアーポンプあるいは電動ポンプによる注出）ができなくなる。
【０００４】
そこで、給水が必要な水位となっているか否かを検知する一般的な方法としては、例えば内容器内の水位を表示する水位表示部の水位を目で確認する方法、あるいは光センサー等による水位検知方法等が従来から知られている。
【０００５】
ところが、水位表示部を目で確認する方法の場合、注湯操作に入る前に一々確認を要するため、ユーザーによっては確認を行うことなく注湯操作を行って、湯の注出が得られない時に始めて湯量が少なくなっているのに気づくという不具合がある。
【０００６】
このような事情から、上記内容器の外周部における許容最低水位付近の温度を検出する給水センサーと、該給水センサーの検出温度の降下度を演算する温度降下度演算手段と、該温度降下度演算手段により求められた温度降下度と予じめ設定した所定の温度降下値とを比較する比較手段と、求められた温度降下度が設定降下値以上となった場合に給水指令を出力する給水指令出力手段と、該給水指令出力手段からの指令により表示又はアラーム等の給水報知を行う給水報知手段とを設け、給水が必要な状態にあることをユーザーに報知するようにしたものが提案されるようになっている（例えば特許文献１参照）。
【０００７】
このような給水報知手段を設けた場合、ユーザーは確実に給水が必要なことを確認することが可能となる。
【０００８】
【特許文献１】
特開平９−１５４７３１号公報（第１−５頁、図１−３）
【０００９】
【発明が解決しようとする課題】
ところが、このような構成の場合、水量が給水レベルまで低下したことを検出するための専用の給水センサーが必要である。
【００１０】
また、一方温度データの変化（勾配）で残水量の判定を行ない、給水表示を行うようにしたものの場合、所定の温度以上の湯が給水された場合に給水判定がなされず、給水報知が継続されてしまう問題がある。
【００１１】
本願発明は、このような問題を解決するためになされたもので、残水量の判定に特別な専用のセンサを必要とせず、お湯による給水の場合にも、確実に給水報知状態をリセットすることができるようにした電気ポットを提供することを目的とするものである。
【００１２】
【課題を解決するための手段】
本願発明は、上記の目的を達成するために、それぞれ次のような課題解決手段を備えて構成されている。
【００１３】
（１）  第１の課題解決手段
この発明の第１の課題解決手段は、内容器と、内容器内の水を加熱する加熱手段と、内容器内の水の温度を検出する温度センサと、内容器内の水を加熱沸とうさせて湯沸しを行ない、その後所定の温度に保温する加熱制御手段と、内容器内の残水量が所定量以下に低下したことを判定して給水が必要なことを報知する給水報知手段とを備えてなる電気ポットにおいて、上記給水報知手段により給水報知を行った後、当該給水報知のための残水量判定データをリセットする残水量判定データリセット手段を設けたことを特徴としている。
【００１４】
このように残水量判定データリセット手段を設けて、上記給水報知手段により給水報知を行った後、当該給水報知のための残水量判定データをリセットするようにすると、以後適切な給水が行われたことに対応して、適切に給水報知状態がリセットされ得るようになる。
【００１５】
（２）  第２の課題解決手段
この発明の第２の課題解決手段は、内容器と、内容器内の水を加熱する加熱手段と、内容器内の水の温度を検出する温度センサと、内容器内の水を加熱沸とうさせて湯沸しを行ない、その後所定の温度に保温する加熱制御手段と、内容器内の残水量が所定量以下に低下したことを判定して給水が必要なことを報知する給水報知手段とを備えてなる電気ポットにおいて、上記給水報知手段による給水報知後も継続して上記温度センサにより水温を検出し、所定時間内に所定値以上の水温の低下があった場合には、上記給水報知手段による給水報知をリセットする給水報知リセット手段を設けたことを特徴としている。
【００１６】
このように給水報知リセット手段を設けて、上記給水報知手段による給水報知後も継続して上記温度センサにより水温を検出し、所定時間内に所定値以上の水温の低下があった場合には、上記給水報知手段による給水報知をリセットするようにすると、以後の適切な給水が行われたことに対応して、確実に給水報知がリセットされるようになる。
【００１７】
（３）  第３の課題解決手段
この発明の第３の課題解決手段は、上記第２の課題解決手段の構成において、給水報知をリセットした後、再度残水量の判定を行うように構成されていることを特徴としている。
【００１８】
このように、給水報知をリセットした後、再度残水量の判定を行うようにすると、該残水量判定結果に対応して、適切に給水報知を行わせることができる。
【００１９】
（４）  第４の課題解決手段
この発明の第４の課題解決手段は、上記第３の課題解決手段の構成において、残水量の判定は、給水報知リセット後、所定の水温まで加熱した時の温度勾配によりなされるように構成されていることを特徴としている。
【００２０】
このような構成によると、給水報知リセット後、所定の水温まで加熱した時の温度勾配により、適切に残水量の判定がなされるようになり、確実な給水報知が可能となる。
【００２１】
（５）  第５の課題解決手段
この発明の第５の課題解決手段は、上記第２，第３又は第４の課題解決手段の構成において、給水されたことが検知されることなく注湯操作がなされた時には、注湯される湯が注湯通路下流の流量センサまで達するに要した時間により残水量を判定し、該判定値に基いて新たな給水報知を行うように構成したことを特徴としている。
【００２２】
例えば所定の温度以上の湯が給水された時のように、給水されたことが検知されることなく注湯がなされた時には、上記のように注湯される湯が注湯通路下流の流量センサまで達するに要した時間により実際の残水量を判定し、該判定値に基いて新たな給水報知を行うようにすると、継ぎ足された水の温度に関係なく適切に残水量の判定がなされるようになり、確実な給水報知が可能となる。
【００２３】
【発明の効果】
以上の結果、本願発明の電気ポットによると、所定温度以上の湯又は水の何れであるかに拘わらず、所定量以上の給水があれば常に確実に給水表示がキャンセルされるようになり、給水表示の信頼性が向上する。
【００２４】
【発明の実施の形態】
以下、添付の図面を参照して、先ず本願発明の電気ポットの後述する各実施の形態に共通な電気ポット本体部および制御装置部分の構成と作用について説明する。
【００２５】
（電気ポット本体部の構成）
図１ないし図４には、後述する本願発明の各実施の形態に共通な電気ポットの本体部および要部の構成が示されている。
【００２６】
すなわち、この電気ポットは、先ず図１および図２に示すように、貯湯用の内容器３を備えた容器本体１と、該容器本体１の上部側開口部を開閉する蓋体２と、上記内容器３を湯沸し時において加熱する加熱手段である湯沸しヒータ４Ａと、上記内容器３を保温時において加熱する加熱手段である保温ヒータ４Ｂと、上記内容器３内の湯を外部へ注出するためのパイプ状の給湯通路（湯注出通路）５と、該給湯通路５の途中に設けられた湯注出流量計測用の流量センサ８０と、ＡＣ電源が接続されている状態において上記給湯通路５を介して上記内容器３内の湯を外部に注出する電動式の給湯ポンプ６と、ＡＣ電源が接続されていない状態において上記給湯通路５を介して上記内容器３内の湯を外部に送り出すエア式の手動給湯ポンプ１８とを備えて構成されている。
【００２７】
上記容器本体１は、外側面部を構成する合成樹脂製の筒状の外ケース７と、内側面部を構成する上記内容器３と、上記外ケース７と上記内容器３とを上部側で一体に結合固定する合成樹脂製の環状の肩部材８と、底面部を構成する合成樹脂製の皿状の底部材９とからなっている。
【００２８】
上記内容器３は、ステンレス製の有底円筒形状の内筒１０と、同じくステンレス製の円筒形状の外筒１１との間に真空断熱空間を設けた保温性能の高い真空二重壁構造の断熱構造体からなっており、その底部には、外周部を除いて上記内筒１０の底面部のみにより構成された１枚板部３ａが形成されている。該１枚板部３ａは若干上方に高く突出して成形されていて、その下面側には、上記湯沸しヒータ４Ａと保温ヒータ４Ｂ（例えば雲母板にワット数の異なる２組の発熱体を保持させたマイカヒータよりなる）が取り付けられている。
【００２９】
上記内容器３の上端部には、上記内筒１０側の上端部を中心軸方向に向けて絞り加工したヒートキープ構造の小径の給水口３ｂが形成されている。また符号１２は、上記内容器３の温度（換言すれば、内容器３内の湯の温度）を検出する湯温検出手段として作用する底センサ（湯温センサ）であり、例えばサーミスタよりなっている。さらに、符号１３は上記内容器３の満水位ＷＬ２を表示する凸状の満水位表示部である。また、図１中のＷＬ１は後述する給水表示が行われる給水位を示している。
【００３０】
上記蓋体２は、合成樹脂製の上板１４と該上板１４に対して外周縁が結合された合成樹脂製の下板１５とからなっており、上記肩部材８の後部に設けられたヒンジ受け１６に対してヒンジピン１７を介して上下方向に開閉自在且つ着脱自在に支持されている。
【００３１】
この蓋体２には、ＡＣ電源が接続されていない状態でも上記給湯通路５を介して外部への給湯が可能なように、手動押圧操作により圧縮作動されるエア式の手動給湯ポンプ１８が配設されている。該手動給湯ポンプ１８は、上記蓋体２の略中央部に形成された円筒部１９内に配設されたベローズタイプのものとされており、押圧カバー２０Ａと押圧板２０Ｂを介して蛇腹構造のベローズ２０Ｃを下方に押圧操作することにより、ベローズ２０Ｃ内の加圧空気２０Ｄが空気吹込口を介して内容器３内に吹き込まれ、該加圧空気の吹き込み圧力によって内容器３内のお湯が給湯通路５を介して外部へ押し出されるようになっている。また、２０Ｅはベローズ２０Ｃの上方への復元バネ、１５Ａは下板１５側のベローズ支持板である。なお、符号２１ａ〜２１ｄは、下方から上方に向けて相互に連通した蓋体２の蒸気排出通路、２２は同蒸気排出通路２１ａ〜２１ｄの蒸気導出部２１ａ側途中に配設された転倒止水弁である。
【００３２】
上記蓋体２における下板１５の下面には、金属製の内カバー部材２３が固定されており、該内カバー部材２３の外周縁には、上記蓋体２の閉蓋時において上記内容器３の給水口３ｂの上面に圧接される耐熱ラバー製のシールパッキン２４が設けられている。符号５９は、蓋開閉レバーである。
【００３３】
上記給湯通路５の上流端側である上記内容器３の下部位置には、上記内容器３側湯導入筒６ａ、給湯ポンプ側湯吸入口６ｂを介して例えば軸シール型の直流電動式の給湯ポンプ６が配設されており、この給湯通路５においては上記湯導入筒６ａを介して湯吸込口６ｂより吸入された湯が当該電動式給湯ポンプ６のポンピング作用により、その吐出口６ｃから吐出され、同給湯通路５の透明パイプ構造の直管部５ｂを経て、上記流量センサ８０内の流量検出通路を通り、転倒止水弁側連結パイプ５ｃから外部への湯注出口５ｄに導かれるようになっている。
【００３４】
透明パイプ構造の直管部５ｂは、上記容器本体１前面部右側の外ケース７と内容器３との間にあって下方から上方に延びており、対応する外ケース７の前面壁７ａには、図３および図４に示すようなシースルー構造の水位表示計２５が設けられている。この水位表示計２５は、図４に詳細に示されるように、上記内側の直管部５ｂが見える縦長の透明窓部分に、水位量１ｌ，２ｌ，３ｌの目盛を付し、それらの間に上記直管部５ｂ内の水位ＷＬ面が位置して上下方向に変動するようになっている。この水位ＷＬ面は、上記直管部５ｂ背面側の図示しない凹面部と水のある直管部５ｂ部分の凸レンズ作用で直径（幅）が広く拡大されて表示されるようになっているとともに、下方側から所定の色の発光ダイオードの光を照射されて、見やすく美しく表示されるようになっている。
【００３５】
そして、上記目盛部の最下部には、上記図１の給水位ＷＬ１になったことを表わす給水マークＦＷＬ（給水）が付されており、後述する操作パネル部３５の給水表示用ＬＥＤ４７による給水表示とともに、該水位表示計２５部分でも残水量が給水レベルまで低下したことが示されるようになっている。
【００３６】
一方、符号３５は、後述する各種スイッチ類３８〜４３の操作面や液晶表示部４９の表示面を備えた操作パネル部、５１ａは、マイコン制御部や以下に述べる各種スイッチ類、液晶表示部（駆動部）等を備えたマイコン基板、５１は、液晶表示部４９の支持部材、５０は、上記電動式給湯ポンプ６の駆動回路や湯沸しヒータ４Ａ、保温ヒータ４Ｂの加熱制御回路、安定化直流電源回路等を備えた電源基板である。
【００３７】
上記操作パネル部３５には、そのＯＮ操作によって上記給湯ポンプ６の駆動モータ６１に電源を入れて駆動する給湯スイッチ３８、同給湯スイッチ３８のＯＮ操作をタイマーロックし、ＯＮ操作によって同タイマーロック状態を解除する給湯ロック解除スイッチ３９、再沸騰スイッチ４０、保温選択スイッチ４１、省エネコース／タイマースイッチ４２、計量給湯／キッチンタイマー選択スイッチ４３、計量給湯／キッチンタイマー選択時における給湯量又は時間設定用アップダウンスイッチ４３ａ，４３ｂ、再沸騰表示用ＬＥＤ４４、保温動作表示用ＬＥＤ４５、給湯ロック解除表示用ＬＥＤ４６、省エネコース表示用ＬＥＤ４８、給水表示用ＬＥＤ４７、液晶表示部４９等が設けられている。
【００３８】
上記液晶表示部４９には、例えば時刻／時間／湯温／作動状態等兼用表示部、保温設定温度表示部、まほうびん保温表示部などが設けられており、各種の便利な情報表示がなされるようになっている。
【００３９】
この電動給湯型の電気ポットは、例えば上記給湯スイッチ３８を押し続ける限り、連続的に上記電動給湯ポンプ６を駆動して湯を注出できる連続給湯モードと、給湯スイッチ３８を押し続けても、予め上述のアップダウンスイッチ４３ａ，４３ｂで設定した所定量の湯を注出すると上記電動給湯ポンプ６が停止する計量給湯モードとの２種の給湯モードを備えて構成されている。
【００４０】
そして、それら各給湯時に使用される上述の流量センサ８０は、図１に示されるように例えば回転支軸８１の外周に筒状のハブを介して螺旋状の回転スクリュー羽根８２を遊嵌し、それらを給湯通路５の直管部５ｂの上端に嵌合筒を介して嵌合固定して構成されている。そして、上記回転スクリュー羽根８２は、湯注出時の注出流量に応じて回転し、その回転数に対応した信号を検出流量として後述のマイコン制御部６０に出力する。この流量センサ８０は、また後述するように残水量の測定にも兼用される。
【００４１】
（制御装置部の構成）
次に図５は、上記構成の電気ポット本体における制御装置の制御回路部分の構成を示すブロック図である。
【００４２】
図４中、符号５３は例えば平滑コンデンサおよび電源ＩＣよりなり、マイコン制御部６０および加熱制御部５４、ポンプ電源部５５等に直流電源を供給する直流安定化電源部、また５４は湯沸しヒータ４Ａおよび保温ヒータ４ＢのＯＮ，ＯＦＦ制御用の加熱制御部、４Ａ，４Ｂは上述した湯沸しヒータ４Ａおよび保温ヒータ４Ｂよりなる加熱手段、３８〜４３は上述の給湯スイッチ他のスイッチ、６は上述の直流型の電動給湯ポンプである。
【００４３】
上記湯沸しヒータ４Ａは、例えば上記マイコン制御部６０から、上記加熱制御部５４に湯沸しヒータＯＮ信号が出力されると、例えば図示しないトランジスタを介して電源リレーを作動させ、それに対応して電源スイッチがＯＮになることにより、駆動される。
【００４４】
また、上記保温ヒータ４Ｂは、上記マイコン制御部６０から、上記加熱制御部５４に保温ヒータＯＮ信号が出力されると、例えば図示しないトランジスタがＯＮになることにより、トライアックを駆動させて駆動される。
【００４５】
また、上記マイコン制御部６０には、さらに液晶表示部４９、再沸騰表示用ＬＥＤ４４、保温動作表示用ＬＥＤ４５、給湯ロック解除表示用ＬＥＤ４６、給水表示用ＬＥＤ４７、省エネコース表示用ＬＥＤ４８等の各種ＬＥＤ表示部や給湯スイッチ３８、再沸騰スイッチ４０、保温選択スイッチ４１、給湯ロック解除スイッチ３９、省エネコース／タイマースイッチ４２等の各種操作部や底センサ（サーミスタ）１２、流量センサ８０などの各種センサー部等が、各々図示しない入出力ポートを介して接続されている。
【００４６】
そして、以上の電気ポットでは、湯沸時又は再加熱時には上記湯沸しヒータ４Ａを使用して高加熱出力で速やかに沸とう状態まで加熱した後に、ブザー音による沸とう報知（湯沸し完了報知）を行って湯沸しヒータ４ＡをＯＦＦにし、その後、保温工程に移行する。また、沸とう加熱時の沸とうデータ（温度勾配）は、その時の水量、残水量の判定に利用される。
【００４７】
（実施の形態１に係る給水表示制御）
先ず、図６は、上述のように構成された電気ポット本体に適用される本願発明の実施の形態１に係る給水報知および給水表示制御の内容を示すフローチャートである。
【００４８】
すなわち、該制御では、先ず最初にステップＳ１で湯沸し時の沸とうデータ（温度勾配）から残水量の判定を行ない、続くステップＳ２で同判定量に基いて実際の残水量が上述の給水を必要とする所定基準水位量ＷＬ１（図１参照）以下まで減っているか否かを判定する。
【００４９】
この判定の結果、ＮＯの時はＹＥＳとなるまで同判定を繰り返す一方、ＹＥＳの時は、ステップＳ３で例えばアラーム音の発生による給水報知を行うとともに、ステップＳ４で上記操作パネル３５部分の給水表示用ＬＥＤ４７を点灯させる。そして、その上でステップＳ５に進み、それまでの給水報知、給水表示のための残水量記憶データをリセット（消去）する。
【００５０】
このように、いったん給水報知および給水表示が行われると、それに対応して、それまでの残水量データを必ずリセットした上で、給水表示を継続させるようにすると、以後例えば８０℃以上の温度の湯が継ぎ足されたような沸とう加熱時の温度勾配によっては水の継ぎ足しの有無を検知できない場合にも確実に給水表示用ＬＥＤ４７を消灯できるようになる（後述）。
【００５１】
そこで、次にステップＳ６に進んで、実際にユーザーによる所定量以上の水の継ぎ足しがあったか否かを判定する。この水の継ぎ足しがあったか否かの判定は、例えば上記底センサ１２により検出される水温が所定時間内に所定値以上低下したか否かにより判定される。
【００５２】
その結果、ＹＥＳの水の継ぎ足しがあった時は、湯沸しヒータ４ＡをＯＮにして再加熱を行うとともに、ステップＳ７に進んで、上記ステップＳ４，Ｓ５で行った給水報知および給水表示の全てをリセットして、給水報知を停止するとともに給水表示用ＬＥＤ４７を消灯させ、さらにステップＳ８に進んで空炊き検知動作に入る。
【００５３】
この空炊き検知動作では、先ずステップＳ９で、現在の湯沸し状態が空炊き状態であるか否かを判定し、空炊き状態であると判定された時には、ステップＳ１０に進んで空炊きアラーム音を発生させて空炊き状態であることを報知するとともに空炊き表示を行った後、ステップＳ１１で直ちに上記湯沸しヒータ４ＡをＯＦＦにして湯沸しを停止する。
【００５４】
他方、上記ステップＳ９でＮＯの空炊きではない時は、ステップＳ１２に進んで、その沸とうデータ（温度勾配）により残水量を演算する。
【００５５】
そして、さらにステップＳ１３に進み、当該演算値から実際の残水量が、上述給水基準量ＷＬ１を超える所定量以上であるか否かを判定し、ＹＥＳの時は沸点まで（沸とう状態まで）湯沸しを実行する一方、ＮＯの給水基準量ＷＬ１以下である時は、ステップＳ１５に進んで、上述の給水報知およぴ給水表示を行ってユーザーに給水をうながす。
【００５６】
一方、これらの場合とは異なり、上述のステップＳ６の水の継ぎ足し検知の判定において、ＮＯと判定された場合には、実際に水が継ぎ足されなかった場合と、実際に水が継ぎ足されたが、継ぎ足された水の温度が８０℃以上に高く、沸とうデータによっては水を継ぎ足されたことが検知判定されなかった場合との２つの場合を含んでいる。
【００５７】
そこで、該場合には、先ずステップＳ１６で上記給湯スイッチ３８のＯＮによる注湯操作（湯注出操作）が行われたか否かを判定し、給湯ポンプ６を作動させる注湯操作が行われたＹＥＳの時には、ステップＳ１７に進み、前述した流量センサ８０によって残水量を測定する。この流量センサ８０を使用した残水量の測定は、次のようにしてなされる。
【００５８】
すなわち、上記給湯スイッチ３８をＯＮ操作して注湯操作を始めると、上記給湯ポンプ６がＯＮになった後、それから所定の距離はなれた流量センサ８０部分に湯が達して流量の測定が開始されるまでの時間は、その時の残水量によって決まり、残水量が多ければ直管部５ｂの水位面も高いので短かく、残水量が少なければ逆に長くなる。したがって、同時間の大小を計時することによって継ぎ足された水の温度に関係なく残水量を測定することができる。
【００５９】
そこで、次にステップＳ１８に進み、そのようにして測定された残水量が、上記給水基準量ＷＬ１を超えた所定量以上であるか否かを判定する。
【００６０】
そして、その結果がＹＥＳの給水を必要としない場合には、ステップＳ１９に進んで上記点灯されている給水表示用ＬＥＤ４７を消灯するとともにステップＳ２０で残水量を確定し、保温を続ける。
【００６１】
この結果、特別な専用のセンサを設けるまでもなく、例えば８０℃以上の温度の湯が継ぎ足された場合にも確実に給水表示状態をリセットすることができるようになる。
【００６２】
他方、ＮＯの水も湯も継ぎ足されておらず、実際に給水を必要とする場合は、ステップＳ２１の方に進んで、そのまま上述の給水報知と給水表示を継続して、ユーザーに給水をうながす。
【００６３】
この結果、湯の場合を含めて実際に水の継ぎ足しがなかった場合には、確実に給水表示を続けさせることができる。
【００６４】
これらの結果、給水表示の信頼性が向上する。
【００６５】
（実施の形態２）
次に図７のフローチャートは、本願発明の実施の形態２に係る電気ポットの給水報知および給水表示制御の内容を示している。
【００６６】
この実施の形態では、上記実施の形態１の場合と同様に所定の温度以上の湯の継ぎ足しがあった場合にも、それが十分な量のものである限り、確実に給水表示用ＬＥＤ４７を消灯させるようにするに際し、図７のように、先ずステップＳ１で一旦給水報知、給水表示がなされて給水表示用ＬＥＤ４７が点灯すると、次にステップＳ２で、湯沸しヒータ４Ａを所定時間３０分内ＯＦＦにして湯温を低下させる。そして、その後、ステップＳ３で同時間３０分の経過が判定されると、次にステップＳ４で湯沸しヒータ４ＡをＯＮにして強制的に再加熱（湯沸し）を行なって内容器３内の湯を沸とうさせる。
【００６７】
そして、続くステップＳ５で、当該沸とうデータ（温度勾配）から残水量を演算し、その演算値に基いてステップＳ６で、実際の残水量が上述の給水基準量ＷＬ１を超える所定量以上であるか否かを判定し、ＹＥＳの時はステップＳ７に進んで、上記給水表示用ＬＥＤ４７を消灯させる。他方、ＮＯの時は、上述のステップＳ１にリターンして、ＹＥＳとなるまで上述のステップＳ１〜Ｓ６の動作を繰り返す。
【００６８】
この結果、以上のような構成の場合にも、上記給水報知、給水表示後、３０分が経過するまでの間に水の追加はもちろん、湯の継ぎ足しがあったような場合にも、以後の沸とうデータから水量の増加が分り、給水表示用ＬＥＤ４７を確実に消灯させることができるようになる。
【００６９】
（その他の実施の形態）
（１）  上述の実施の形態１の構成のように、給水を検知して、加熱後の湯量判定が所定値以下であれば、再度給水報知を行うようにした場合、上記加熱の初期（加熱後所定短時間）にて再給水報知の判断をし、再給水が必要な場合は給水報知を行い、そうでない場合の湯量判定は、その後再度行う。このようにすると、危険を早く報知し、かつ湯量判定の精度を上げることができるようになる。
【００７０】
（２）  給水検知のメインの手法としては、湯沸し時のデータ（温度勾配ΔＴ又は水温と沸とう時間の関係）により初期湯量を判定し、その後は、吐出量を減算することにより、給水量を判定するようにしてもよい。
【００７１】
（３）  湯の継ぎ足しを想定し、給水報知後、所定時間毎に湯沸しヒータ等の加熱源にて加熱を行い、定期的に湯量を判定するようにしてもよい。
【００７２】
この場合、所定時間の加熱でも、所定温度までの加熱でも良い。
【００７３】
（４）  給水報知後は、保温ヒータでの加熱を継続し、保温ヒータのＯＮ／ＯＦＦ度合いにより、湯量を判定するようにしてもよい。
【図面の簡単な説明】
【図１】本願発明の各実施の形態に共通な電気ポット本体部分の断面図である。
【図２】同ポット本体部分の平面図である。
【図３】同ポット本体部分の水量表示部の斜視図である。
【図４】同ポット本体部分の水量表示部の水量表示状態を示す正面図である。
【図５】同ポット本体部分の制御回路の構成を示すブロック図である。
【図６】本願発明の実施の形態１に係る電気ポットの給水報知および給水表示制御の内容を示すフローチャートである。
【図７】本願発明の実施の形態２に係る電気ポットの給水報知および給水表示制御の内容を示すフローチャートである。
【符号の説明】
１は容器本体、２は蓋体、３は内容器、４Ａは湯沸しヒータ、４Ｂは保温ヒータ、５は給湯通路、６は給湯ポンプ、７は外ケース、１０は内筒、１１は外筒、１２は底センサ、１８は手動給湯ポンプ、４７は給水表示用ＬＥＤ、４９は液晶表示部、６０はマイコン制御部、８０は流量センサ、ＦＷＭは給水マークである。
【図１】
2005007084.tif 000003
【図２】
2005007084.tif 000004
【図３】
2005007084.tif 000005
【図４】
2005007084.tif 000006
【図５】
2005007084.tif 000007
【図６】
2005007084.tif 000008
【図７】
2005007084.tif 000009